(57)【要約】  電気及び電子デバイス用の折畳み可能且つ拘束可能なケーブル。ケーブルは、屈曲部を持つよう予備成形されて、ケーブルが、結束のためにより容易に集線されることを可能にする。ケーブルはまた、格納のために集線され結束された後、ケーブルを共に保持する拘束具セクションを一端に有する。
2015524147.tif 000002
【特許請求の範囲】
【請求項１】
電気及び電子デバイスと共に使用するための連続且つ折畳み可能なケーブルであって、
導体及び前記導体を覆う絶縁ジャケットを有するケーブルを備え、
前記ケーブルは第１の端部及び第２の端部を有し、
折畳まれるときにケーブルを結束（bundle）するための、一端の予備成形拘束具を備える、ケーブル。
【請求項２】
前記第１の端部又は第２の端部と組み合わされたコネクタがあり、
前記予備成形拘束具が、折畳まれるときケーブルを結束するために、前記コネクタを含む端部に組み合わされる、請求項１に記載のケーブル。
【請求項３】
コネクタが、前記第１の端部及び前記第２の端部の両方に組み合わされる、請求項１に記載のケーブル。
【請求項４】
前記コネクタを含まない端部が、電気又は電子デバイスに接続されるように適合される、請求項２に記載のケーブル。
【請求項５】
前記予備成形拘束具が予備成形スパイラルである、請求項１に記載のケーブル。
【請求項６】
前記予備成形スパイラルが、ケーブルの残りの部分より剛性のある材料でできている、請求項５に記載のケーブル。
【請求項７】
前記予備成形拘束具が、ほぼＷ状のフックである、請求項１に記載のケーブル。
【請求項８】
前記Ｗ状フックが、２つの予備成形ループによって、前記２つのループの平面にほぼ垂直な平面内で第３の予備成形ループによって接合されるほぼ平行な平面内で形成される、請求項７に記載のケーブル。
【請求項９】
真直ぐなセクションと交互する２つ以上の予備成形屈曲部を有し、前記屈曲部が、前記屈曲部の形状を保持するように前記真直ぐなセクションより柔軟性が小さい、請求項１に記載のケーブル。
【請求項１０】
ケーブルの柔軟性が、前記屈曲部と前記真直ぐなセクションとの間で徐々に変化する、請求項９に記載のケーブル。
【請求項１１】
可変剛性ケーブルである、請求項９に記載のケーブル。
【請求項１２】
前記予備成形拘束具がスパイラルである、請求項１１に記載のケーブル。
【請求項１３】
真直ぐなセクションと交互する２つ以上の屈曲部を有し、前記屈曲部が、前記屈曲部の形状を保持するように前記真直ぐなセクションより柔軟性が小さく、前記屈曲部が、予備成形され、前記スパイラルと同じ材料でできている、請求項５に記載のケーブル。
【請求項１４】
前記絶縁ジャケットが低摩擦表面を有する、請求項９に記載のケーブル。
【請求項１５】
前記低摩擦表面の摩擦係数が０．３より低い、請求項１４に記載のケーブル。
【請求項１６】
前記真直ぐなセクションと交互する２つ以上の屈曲部を有し、前記屈曲部が、前記真直ぐなセクションより柔軟性がある、請求項１に記載のケーブル。
【請求項１７】
ケーブルの柔軟性が、前記屈曲部と前記真直ぐなセクションとの間で徐々に変化する、請求項１６に記載のケーブル。
【請求項１８】
前記予備成形拘束具がスパイラルである、請求項１７に記載のケーブル。
【請求項１９】
前記予備成形拘束具がクリップである、請求項１に記載のケーブル。
【請求項２０】
前記予備成形拘束具がクリップであり、前記クリップ及び前記コネクタが、組み合わされて単一ピースになる、請求項２に記載のケーブル。
【請求項２１】
真直ぐなセクションと交互する２つ以上の屈曲部を有し、実質的に均一な剛性があり、前記屈曲部が予備成形される、請求項１に記載のケーブル。
【請求項２２】
前記予備成形拘束具がスパイラルである、請求項２１に記載のケーブル。
【請求項２３】
スリーブが、前記屈曲部及び前記予備成形スパイラルに組み合わされる、請求項２２に記載のケーブル。
【請求項２４】
スリーブが、前記予備成形スパイラルだけに組み合わされる、請求項２２に記載のケーブル。
【請求項２５】
真直ぐなセクションと交互する２つ以上の予備成形屈曲部を有する、請求項５に記載のケーブル。
【請求項２６】
可変剛性ケーブルであり、前記予備成形スパイラルが、ケーブルの残りの部分より剛性のある材料でできている、請求項５に記載のケーブル。
【請求項２７】
可変剛性ケーブルであり、前記予備成形スパイラル及び前記予備成形屈曲部が、前記真直ぐなセクションより剛性のある材料でできている、請求項２５に記載のケーブル。
【請求項２８】
可変剛性ケーブルであり、前記予備成形スパイラルが、ケーブルの残りの部分より剛性のある材料でできている、請求項２５に記載のケーブル。
【請求項２９】
スリーブが、前記予備成形スパイラルに組み合わされる、請求項５に記載のケーブル。
【請求項３０】
ケーブルの長さに沿って１つ又は複数の更なる予備形成スパイラルがあり、その結果、ケーブルを２つ以上の結束体に結束することができる、請求項２５に記載のケーブル。
【請求項３１】
ポリマー・コーティングが、前記屈曲部及び前記予備成形スパイラルに組み合わされる、請求項２２に記載のケーブル。
【請求項３２】
ポリマー・コーティングが、前記予備成形スパイラルだけに組み合わされる、請求項２２に記載のケーブル。
【請求項３３】
ポリマー・コーティングが、前記予備成形スパイラルに組み合わされる、請求項５に記載のケーブル。
【請求項３４】
電気及び電子デバイスと共に使用するための連続且つ折畳み可能なケーブルであって、
導体ワイヤ及び前記導体ワイヤを覆う絶縁ジャケットを有する折畳み可能なケーブルを備え、
前記ケーブルは第１の端部及び第２の端部を有し、
折畳まれるときケーブルを結束するために、ケーブルに取付けられた伸縮性拘束部材を備える、ケーブル。
【請求項３５】
真直ぐなセクションと交互する２つ以上の予備成形屈曲部を有し、前記予備成形屈曲部が、前記第１の端部と前記第２の端部との間でケーブルに沿って離間し、前記屈曲部が、前記屈曲部の形状を保持し、ケーブルの容易な折畳みを可能にするため、前記真直ぐなセクションより柔軟性が小さい、請求項３４に記載のケーブル。
【請求項３６】
ケーブルの柔軟性が、前記屈曲部と前記真直ぐなセクションとの間で徐々に変化する、請求項３５に記載のケーブル。
【請求項３７】
可変剛性ケーブルである、請求項３６に記載のケーブル。
【請求項３８】
前記伸縮性拘束部材が、一端の近くでケーブルに永久的に固着される、請求項３５に記載のケーブル。
【請求項３９】
前記伸縮性拘束部材が弾性バンドである、請求項３８に記載のケーブル。
【請求項４０】
前記第１の端部又は前記第２の端部に組み合わされたコネクタがあり、
前記伸縮性拘束部材が、折畳まれるときケーブルを結束するために、前記コネクタを含む端部に組み合わされる、請求項３９に記載のケーブル。
【請求項４１】
コネクタが、前記第１の端部と前記第２の端部の両方に組み合わされる、請求項３５に記載のケーブル。
【請求項４２】
前記コネクタを含まない端部が、電気又は電子デバイスに接続されるように適合される、請求項４０に記載のケーブル。
【請求項４３】
単一のワイヤからなる第１のセクション及び２つのワイヤからなる第２のセクションを有し、前記第１のセクションが、コネクタによって前記第２のセクションに一端で接合される、請求項３４に記載のケーブル。
【請求項４４】
前記拘束部材が、ケーブルに取付けられるが、ケーブルに沿って摺動可能である、請求項４３に記載のケーブル。
【請求項４５】
前記第１のセクションが、予備成形屈曲部及び真直ぐなセクションを有し、前記予備成形屈曲部が、前記第２のセクションを接合する前記コネクタと前記第１のセクションの他端との間で前記第１のセクションに沿って離間して、ケーブルの容易な折畳めを可能にする、請求項４３に記載のケーブル。
【請求項４６】
イヤ・バッドが、前記第２のセクションの前記２つのワイヤの端部に設けられる、請求項４５に記載のケーブル。
【請求項４７】
前記予備成形屈曲部が、補剛材を備える、請求項４５に記載のケーブル。
【請求項４８】
前記補剛材がスリーブである、請求項４７に記載のケーブル。
【請求項４９】
前記補剛材がコーティングである、請求項４７に記載のケーブル。
【請求項５０】
ケーブルの前記第１のセクションが可変剛性ケーブルである、請求項４４に記載のケーブル。
【発明の詳細な説明】
【技術分野】
【０００１】
本出願は、２０１２年５月３０日に出願された米国特許仮出願第６１／６５３２２１号、２０１２年９月２０日に出願された米国特許非仮出願第１３／６２３５４９号、及び、２０１３年３月１３日に出願された継続米国特許出願第１３／８００８６３号に対して、米国特許法第１１９条の下で優先権を主張し、それらの出願の内容を参照により組み込む。
【０００２】
本発明は、電気及び電子デバイス用のケーブル組立体に関する。ケーブルは、全てのタイプの、携帯電話及びスマート・フォン、ラップトップ・コンピュータ、及びタブレット用の充電器等、再充電可能でない電池を使用しない種々のデバイスに使用される。ケーブルはまた、デスク・トップ・コンピュータの種々のコンポーネント、地上回線電話、並びに、ヘア・ドライヤ、ヘア・カーラ、ドリル等のような器具及び工具に一般に使用される。
【背景技術】
【０００３】
現在、今述べたようなケーブル組立体は、使用時、すっきりとしたコンパクトな構成になるように容易に折畳み拘束することができない。既存の未拘束のケーブルは、乱雑で無秩序であり、作業空間に群がる傾向がある。使用中でなく、通常引出に格納されているとき、ケーブル、特に、電気デバイスから離れているケーブルは、同じ引出の中で他のアイテムの邪魔になり、他のケーブルと絡まる傾向がある。
【０００４】
電気及び電子デバイスの激増及びデバイスを使用するか又はデバイスを再充電するために必要であるケーブル組立体が標準化されていないことによって、ケーブル組立体の格納が、益々不都合な、まとまりのないものになった。この問題は、それぞれが通常、互いに異なるケーブルを有するタブレット及びラップトップ・コンピュータ及びスマート・フォン及び携帯電話充電器用のケーブルについて最も明らかである。余分な長さが地面に横たわり、又は引出の中で絡まり、したがって乱雑でまとまりのないシーンを生み出し、不必要に空間を占有する数本のケーブルを見出すことは珍しいことでない。既存のケーブルに関するこれらの問題は、移動するときに、デバイス及びそのケーブルを携行する必要が生じたとき更に悪化する。
【０００５】
更に、乱雑でまとまりのないケーブルは、単に目障りであることに留まらない。それはまた、子供の安全問題になる。幼少の子供は、これらのケーブルに絡まる可能性があり、また、自分自身及び遊び友達に巻き付ける遊び道具としてケーブルを正しくない方法で使用する可能性がある。子供が自分の首にケーブルを巻き付け、医学的な緊急事態を招く場合、最も不幸なことになる。
【０００６】
既存のケーブルを使用するときのこれらの問題を最小にしようとして、ユーザは、例えば、注意深く、ケーブルを共に「ループ状にし（loop）」、ツイスト・タイ（twist tie）又はゴム・バンドによってケーブルを束ねる可能性がある。しかし、適切なタイ又はバンドを見つけなければならず、また、それらの使用には、多くの時間と労力がかかる。
【０００７】
これらのケーブルの一部の製造業者は、先の困難さ及び危険に明らかに気づいている。その理由は、彼らが、これらの問題を最小にしようとして、ケーブル組立体を益々短く作っているからである。例えば、ｉＰｈｏｎｅ（登録商標）又はｉＰａｄ（登録商標）を充電するため、また、デバイスをＵＳＢポートに接続するために使用可能なケーブルは、長さが約９１．４４ｃｍ（３フィート）に過ぎない。おそらく、この短縮されたケーブルは、ケーブルを作るコストを低減する方法でもある。いずれにしても、このタイプのケーブルがあまりにも短く作られると、電気デバイスをコンセントの近く配置しなければならないため、電気デバイスと共に使用すること、又は、電気デバイスを充電することが不都合になる可能性がある。
【発明の概要】
【発明が解決しようとする課題】
【０００８】
したがって、電気及び電子デバイス、特に、再充電可能でない電池を使用しないデバイス用のケーブルを扱い、使用し、格納する改善された方法が求められている。
【課題を解決するための手段】
【０００９】
本発明に従って生産されるケーブルの好ましい実施例は、真直ぐなセクションを形成するためのその長さに沿って等間隔に離間した予備成形屈曲部を有し、アコーデオンのように容易に折畳まれて、コンパクトなケーブルになり得る。折畳まれると、ケーブルは、ケーブルの一端に形成される、スパイラル・テール等の、取付け式拘束具又は予備成形拘束具セクションを使用することによって保持され得る。一実施例では、ケーブルは、好ましくは、可変剛性ケーブルであり、それらの形状を保持するように剛性のある材料で作られた屈曲部及びスパイラル・テール・セクションを有する。スパイラル・テール・セクション用の材料は、屈曲部に使用される材料と同じ材料であり得る。真直ぐなセクションは、より柔軟性のある材料で作られるため、使用時、ケーブルは、より高い柔軟性及び制限の低い感じを示すことになる。他の実施例では、伸縮性材料の拘束具は、ケーブルの一端に永久的に取付けられる。格納のため、移動のため、空間を節約するため、又は、単によりすっきりとし且つ整然とした外観を与えるために、ケーブルを結束する必要が生じると、真直ぐなセクションが、集線され、その後、スパイラル・テール・セクション又は他の拘束手段によって巻き付けられて、それらを共に保持する。
【図面の簡単な説明】
【００１０】
【図１】本発明の原理に従って作られたケーブルの第１の実施例の図である。
【図２ａ】図１に示すケーブルの略図である。
【図２ｂ】使用するため伸長したケーブルを示す図１のケーブルの図である。
【図２ｃ】共に押し潰された真直ぐなセクションを示す図１のケーブルの図である。
【図２ｄ】スパイラル・テールを使用して結束されたケーブルを示す図１のケーブルの図である。
【図３】本発明に従って作られたケーブルの第２の実施例の図であり、完全に伸長したケーブルを示す。
【図４ａ】折畳まれたケーブルを示す図３のケーブルの図である。
【図４ｂ】図４ａのケーブルの略図である。
【図４ｃ】スパイラル・テールを使用して結束されたケーブルを示す図４ａのケーブルの図である。
【図５】図３のケーブルの変形の図である。
【図６】本発明の原理に従って作られたケーブルの第３の実施例の図である。
【図６Ａ】図６のケーブルの変形の図である。
【図７】図６のケーブルの変形を示す図である。
【図８ａ】複数のワイヤの従来技術のケーブルの断面図である。
【図８ｂ】従来技術のケーブルの単一の内側ワイヤの断面図である。
【図９ａ】平坦な複数のワイヤの従来技術のケーブルの断面図である。
【図９ｂ】可変剛性絶縁ジャケットを有するケーブルの長手方向断面図である。
【図１０】使用のために部分的に引き出され伸長した本発明のケーブルを示す図である。
【図１１】本発明の原理を使用する複数の結束されたケーブルの図である。
【図１２ａ】ケーブル用の拘束具としての予備成形フックを示す本発明の更に別の実施例の図である。
【図１２ｂ】折畳まれ、フックによって共に保持されたケーブルを示す図１２ｂのケーブルの図である。
【図１３】可変剛性ケーブル用の２重機能拘束具を示す本発明の更に別の実施例の図である。
【図１４】スリーブが使用されて、ケーブルの長さに沿う補剛材セクションを生成する本発明の別の実施例の図である。
【図１５】拘束手段がケーブルに永久的に取付けられる伸縮性拘束具である本発明のケーブルの更に別の実施例の図であり、この実施例は、組み合わされた２つのワイヤ及び単一ワイヤ・ケーブルと共に示される。
【図１６】ケーブルを結束する第１のステップを示す図１５のケーブルの図である。
【図１７】ケーブルを結束する第２のステップを示す図１５のケーブルの図である。
【図１８】ケーブルをその結束された状態で示す図１５のケーブルの図である。
【図１９】最後のステップを示す図１５のケーブルの図であり、結束され、拘束具によって固定されたケーブルを示す。
【図２０】伸縮性拘束具がケーブルに永久的に取付けられる別の実施例を示す図である。
【発明を実施するための形態】
【００１１】
本発明が関連する一般的なタイプのケーブルは、図８ａ、図８ｂ、図９ａ、及び図９ｂに示される。典型的なケーブルは、ポリマー材料で作られた絶縁ジャケット１０２によって通常覆われる１つ又は複数のワイヤからなる電気導体１００を有する。図８ｂは、単一のワイヤとしての導体を示すが、単一の絶縁ジャケットで覆われた複数ワイヤ導体もまた、一般に使用される。それぞれが導体を有する複数のケーブルが使用される場合、複数のケーブルは、ファイバ等の絶縁材料１０４によって囲まれ、分離され、その後、シールド層１０６によって、また時として、外側ジャケット１０８（図８ａ）によって覆われる場合がある。熱可塑性ポリマー材料並びに架橋ポリマー材料（天然ゴム及び合成ゴム等）が、ケーブルの絶縁ジャケット１０２に一般に使用される。
【００１２】
以降で述べる例外があるが、本発明の原理は、参照により本明細書に組み込まれる本発明者の米国特許第６，４４４，９１５号に示され述べられるタイプの可変剛性ケーブルと共に示される。「可変剛性（variable-stiffness）」製品の一般的な概念はまた、本発明者の米国特許第５，５３３，９８５号、第５，６２２，６６５号、第６，１３５，９９２号、及び第６，６４８，０２４号に記載される。本発明は、図８ｂに示すタイプの単一の電気導体１００に適用されるものとして述べられる。本発明の実施例の幾つかによって、可変剛性の絶縁ジャケットを有するこの一般的なタイプのケーブルが、使用され、本発明者の’９１５号特許において示され述べられ、本出願の図９ｂに示される。図示するように、導体１００（複数ワイヤ）は、絶縁ジャケット１０２によって覆われ、絶縁ジャケット１０２は、軸方向に交互の環状剛性セクション１１０及び環状柔軟セクション１１２からなり、剛性セクション１１０と柔軟セクション１１２との間にユニークな移行セクション１１４を有する。移行セクション１１４は、剛性セクション１１０及び柔軟セクション１１２を徐々に併合して、異なる剛性のセクション間で普通なら起こる場合があるどんな座屈（buckling）及びよじれ(kinking)もなくす。セクション１１０、１１２、及び１１４のそれぞれの長さは、ケーブルが使用されることになる特定の目的に依存する。同様に、導体は、非可変剛性の内側絶縁ジャケット（図示せず）を有する絶縁ジャケット１０２を有する場合がある。本開示で使用されるとき、用語「可変剛性ケーブル（variable stiffness cable）」は、その外側絶縁ジャケット内に可変剛性特性を有する本発明者の’９１５号特許に記載されるタイプのケーブルを指す。内側ジャケットが同様に特定のケーブル内で使用される場合、内側ジャケットは、標準的な非可変剛性ジャケットであることになる。本出願全体を通して使用するとき、「予備成形すること（preforming）」は、ケーブルをその長さに沿って所望の形状に形成する「予備成形温度（preforming temperature）」までケーブルを加熱し、その後、所望の形状を保持するようにケーブルを室温まで冷却することを指す。予備成形温度は、ケーブルの内側及び外側のジャケットで使用される材料に依存し、その温度は、外側ジャケットが成形するのに十分に軟質になるように、ケーブルの外側ジャケット材料のガラス転移点(glass-transition-point)を超えるべきである。成形温度もまた、内側ワイヤの完全性が低下しないように、内側ワイヤの内側ジャケット材料の融解点より低いことが好ましい。時折、必要とされる加熱時間が長過ぎる場合がある。そのような場合、理想より高い温度が使用されなければならない場合があり、そうである場合、加熱時間を制御することが、内側ワイヤの完全性のダメージを防止するのにきわめて重要である。通常より高い予備成形温度が使用されなければならないとき、又は、内側ワイヤの完全性が関心事である場合、加熱時間を短縮することが行われるべきである。いずれにしても、内側ワイヤの完全性の低下を防止するのに十分に高い融解点を内側ジャケット材料が有することが望ましい。適切な予備成形温度及び加熱時間は、特に、外側ジャケット材料が単一材料でなく、軟質ポリ塩化ビ��ル等のブレンドである場合、実験によって決定されるべきである。
【００１３】
本発明が関連するケーブルは、押出しプロセスによって一般に作られる。予備成形は、押出しプロセスとは別のプロセスで行われる可能性があるが、押出しプロセス中に行われる可能性もある。
【００１４】
本発明の原理は、もしかすると、広い範囲の用途をカバーすることができ、したがって、それらの１つ又は複数が、最も知られている用途で使用される可能性がある幾つかの異なる実施例が本明細書で開示される。
【００１５】
図１及び図２ａ〜２ｄに示す本発明の第１の実施例を参照すると、示すケーブル１０は、先に参照したタイプの可変剛性ケーブルである。先の予備成形プロセスに従って生産されるケーブルは、図１に示すケーブル構成をもたらす。図１に示すように、この新規なケーブル構成は、真直ぐなセクションＹを形成するためのその長さに沿って均等に離間した予備成形屈曲部Ｘ（図１のドット・エリア）及び一端に予備成形スパイラル・テール・セクションＺ（図１のドット・エリア）を有する。描写図は複数ループのスパイラル・テールＺを示すが、一部の用途では、単一ループが適切であることになる。本明細書で使用するとき、「予備成形スパイラル（preformed spiral）」は、１つ又は複数のループのスパイラルを指す。ケーブル１０が可変剛性ケーブルであるため、屈曲部Ｘ及びスパイラル・テール・セクションＺは、両者がそれらの形状を保持するように、また同様に、スパイラル・テールＺが「拘束（restraining）」アクション用のより高い力を有するように、剛性（デュロメータ(durometer)値が高い）材料で作られる。スパイラル・テール・セクションＺ用の材料は、屈曲部Ｘに使用される材料と同じ材料であり得る。真直ぐなセクションＹは、より柔軟性のある（デュロメータ値が低い）材料で作られるため、使用時、ケーブル１０は、より高い柔軟性及び制限の低い感じを示すことになる。
【００１６】
図１の第１の実施例のケーブル１０の使用を示すため、図２ａは、ケーブル１０が圧壊された状態又はほぼ完全に折畳まれた状態にある図１の簡略化されたスケッチを示す。図２ｂは、使用時に伸長したケーブル１０を示し、コネクタ１２がスパイラル端上にある。ケーブル１０を結束する必要が生じると、真直ぐなセクションＹが図２ｃに示すように集線され、次に、２ｄに示すようにスパイラル・テール・セクションＺによって巻き付けられる。先に示したように、ケーブルを結束する理由は、格納のため、移動のため、空間を節約するため、又は、単によりすっきりとし且つ整然とした外観を与えるためである。本発明の原理に従って作られるケーブルを使用すると、ケーブルの結束は、１０秒未満の時間を必要とし、また、労力をほとんど必要とせず、使用するため結束体を解体することは、更に少ない時間、２秒以下を必要とする。
【００１７】
そのため、本発明の第１の実施例は、大幅に改善されたケーブル構成を提供する。屈曲部Ｘは、ケーブル１０の折畳みを積極的に誘導できるように予備成形される。一体のスパイラル・テール・セクションＺは、真直ぐなセクションＹを集線し、それらを共に結束した後、ケーブル１０を拘束するエレガント且つ簡単な方法を提供する。
【００１８】
図１の先に述べた第１の実施例（並びに続いて述べるバージョンのほとんど）についての有意義且つ重要な選択肢は、低摩擦表面を有する可変剛性ケーブルを使用することである。これは、使用するため結束ケーブルを解体することを容易にする。それはまた、特定の要件のために、ケーブルを部分的に引張り出すか又はケーブルの長さを調整する選択を提供する。同じ材料に対して測定されるケーブル表面の摩擦係数が、０．３より低い、好ましくは、０．２１より低くあるべきであることが好ましい。ケーブル上で低摩擦表面を得る幾つかの方法がある。第１に、低摩擦材料が、ケーブルの製造において使用され得る。幾つかのポリマー材料、ＨＤＰＥ（高密度ポリエチレン）、ナイロン６、ＦＥＰ（フッ素化エチレン・プロピレン）、及びＰＴＦＥ（テフロン（登録商標）等のポリテトラフルオロエチレン）は、本質的に低摩擦表面を有する。同様に、低摩擦コーティングが、ケーブルの外側表面に塗布され得る。ケーブル上で低摩擦表面を達成する他の方法は、外側ジャケット材料内に「スリップ剤（slip agent）」を使用すること、又は、ケーブル表面上に低摩擦材料層を置くための「共押出し（co-extrusion）」技法を使用することである。
【００１９】
スパイラル・テール・セクション及び低摩擦表面を持つよう本発明に従って作られるケーブルによって、別の有意義な利点が、従来技術のケーブルに対して達成される。ケーブルを使用するとき、所望のコネクタ１２及び１４をケーブル１０の両端に示す図１０に示すように、ユーザは、特定の必要性がある場合、ちょうど十分な長さのケーブル１０を結束体から引き出すことができる。そうするとき、過剰なケーブル長が無くされ、「乱雑ケーブル症候群（messy cable syndrome）」が大幅に低減される。本発明のケーブルをより有用でまた外観をより魅力的にしながら、予備成形ケーブルを使用に応じて完全に又は部分的に引張り出することを可能にすることは、ケーブルがロープの外観を決して持たないため、子供がケーブルをロープとして使用する誘惑を減少させる。これは、明確（definite）且つ重要な安全性特徴である。
【００２０】
ここで図３、図４ａ、図４ｂ、及び図４ｃを参照すると、同様に可変剛性ケーブルである本発明の別の実施例が示される。この実施例では、ケーブル２０のスパイラル・テール・セクションＺだけが予備成形され、屈曲部セクションＸは予備成形されない。真直ぐなセクションＹは、屈曲部セクションＸによって離間し、より柔軟性のある材料で作られる屈曲部セクションＸより剛性のある材料で作られる。これは、図１の実施例のケーブル１０の構造のまさに逆である。この第２の実施例では、屈曲部セクションＸは、軟質である必要があり、図４ａに示すように、はじく作用（flipping action）で、ケーブル２０は、真直ぐなセクションＹの間でより柔軟性のある屈曲部セクションＸにおいて自然に屈曲する。図３は、使用状態にある、完全にまた図１の第１の実施例の予備成形済みの「曲げ式の（crooked）」屈曲部が無い状態でケーブルが伸長しているときのケーブルを示す。図４ａ及び図４ｂは、ケーブルの剛性のある真直ぐなセクションＹが、故意に前後にはじかれて、真直ぐなセクションＹの剛性によって補助された「束（bunch）」を形成することを示す。図４ｃは、束がスパイラル・テール・セクションＺによって拘束されて、結束体を形成することを示す。低摩擦表面を有するケーブルを使用する選択肢は、必須ではないが、この実施例について同様に重要である。
【００２１】
図３、図４ａ、図４ｂ、及び図４ｃの実施例の主要な利点は、使用時、図３に示すように、完全にまた曲げ式の屈曲部が無い状態でケーブルが伸長し得ることである。これは、或る用途では重要であるが、この第２の実施例の欠点は、第２の実施例が、やっかいな従来技術のケーブルより依然としてずっと容易であるが、第１の実施例と全く同じようには容易に折畳めないことである。
【００２２】
本発明の異なる実施例についての別の選択肢がある。用語「色差（color differential）」は、異なる色を有する可変剛性ケーブルの剛性且つ柔軟性のあるセクションを生産することを意味する。これは、異なる色の樹脂を使用することによって、ケーブル・ジャケット化プロセス（本発明者の以前の特許に記載される、割込み層共押出しプロセス（Interrupted Layer Co-extrusion process）又はＩＬＣ）において最もよく達成される。「色差」を使用する選択肢は、図３の実施例の場合、より重要である。その理由は、予備成形屈曲部が無い場合、「色差」が、ケーブルを折畳むための、かなり必要とされる視覚的補助を提供するからである。
【００２３】
図５は、図３の第２の実施例の特別な選択肢を示す。図示するように、ケーブル２１は２つのセクションだけでできている。ケーブル２１の長さのほとんど、主本体２２は、より柔軟性のある材料で作られ、一方、スパイラル・テール・セクションＺだけはより剛性のある材料で作られる。これは、主本体２２が、ランダムに集線され、次に、予備成形スパイラル・セクションＺによって拘束されることを可能にする。
【００２４】
本発明の更に別の実施例は、図６、図６Ａ、及び図７に示される。この実施例は、可変剛性特徴が無いケーブル３０を使用する。しかし、ケーブル３０は、先に述べたように加熱され予備成形されて図６に示す形状になり、その形状は、図１の実施例の形状と実質的に同じである。又は、図６Ａに示すように、ケーブルの形状は、Ｕ状屈曲部ではなく、ほぼ同じサイズの大きなループになるよう予備成形され得る。いずれにしても、ケーブル３０が可変剛性ケーブルでないため、ケーブル材料は、ループ又は屈曲部Ｘ及び予備成形スパイラル・テールＺの形状を保持するのに十分に剛性が無ければならない。ケーブルはまた、ケーブルが容易に集線され結束され、次に、スパイラル・テールによって共に保持されるように、十分に剛性が無ければならない。ケーブルはまた、ケーブルが使用時に伸長するとき、ユーザが過剰の制限を感じることがないように十分に柔軟でなければならない。この材料の兼ね合いは、全ての用途については十分ではないが、一部の用途について十分であり得る。図６及び図６Ａの実施例のケーブル３０の主要な利点は、その低コストである。低摩擦表面を有することはまた、ケーブル３０にとって重要な選択肢である。図７は、ケーブル３０の変形であるケーブル４０を示すが、ケーブル４０は、スパイラル・テールＺを除いて、予備成形屈曲部又はループを全く持たない。
【００２５】
ここで図１２ａ及び図１２ｂを考えると、ケーブル１０、２０、３０、又は４０の任意のケーブル上で使用するための予備成形拘束具の別のバージョンが示される。この実施例では、予備成形スパイラル・テールは、予備成形拘束具Ｗによって置換される。拘束具Ｗは、２つのループ４２及び４４であって、ループ４２及び４４の平面に全体的に垂直な平面内の第３のループ４６によって接合されたほぼ平行な平面内にある、２つのループ４２及び４４から形成されて、ほぼ「Ｗ」形状を形成する。拘束具Ｗは、図１２ｂに示すようにケーブルの結束部分を保持するために使用され得るフックを提供する。
【００２６】
図１３では、本明細書で述べるタイプの任意のタイプの結束ケーブルを拘束するための別の選択肢が示される。スパイラル・テールＺ又はフックＷ等の予備成形拘束具の代わりに、ケーブルの一端は、結束ケーブルを受取るために開き、次いでケーブルを把持しそれを共に保持するように閉じることができる任意の適したタイプのクリップ４８を備える。好ましくは、クリップ４８は、コネクタ１２又は１４の一方と組み合わされ、外観が見て美しい単一ピースを形成する。
【００２７】
ここで図１４を参照すると、本発明の更に別の実施例が示される。この実施例では、ケーブル５０は、他の実施例の見慣れた蛇行パターンになるよう成形される。しかし、可変剛性ケーブルの代わりに、ケーブル５０は、均一に剛性及び柔軟性があるが、図６の実施例と同様に予備成形される。スリーブ５２は屈曲部と組み合わされ、スリーブ５４は、実質的に全てのスパイラル・テールＺと組み合わされ、それらを覆う。その後、所定場所にスリーブ５２を有する屈曲部及び所定場所にスリーブ５４を有するスパイラル・テールＺが予備成形される。スリーブ５２及び５４は、ケーブルに厚さを付加するため、剛性を付加し、予備成形屈曲部及びスパイラル・テールＺの保持力を高め、したがって、可変剛性ケーブルの効果と同様の効果を生成する。スリーブの剛性は、ケーブル屈曲部及びスパイラル・テールの剛性を変えるために変えられ得る。剛性屈曲部と柔軟性セクションとの間の移行は、ずっと良好な外観を同様に有する可変剛性ケーブルの漸進的且つスムーズな移行に比較して急激である。スリーブは、剛性屈曲部と柔軟性セクションとの間で剛性の差が大きくない場合に有用であり、また、スリーブは、イヤホン及び同様なもの用のケーブル等、非常に軟質のケーブルについて特に有用であり、その場合、スリーブは、屈曲部及びスパイラル・テール又はスパイラル・テールだけに適用することができ、非常に軟質のケーブルが、指に巻き付けられ、次に、スパイラル・テールによって束の状態で保持されることを可能にする。スリーブの使用及び可変剛性ケーブルの使用は、ケーブルのセクションの間で色を変えることが望ましい場合に、同様に有利であり、スパイラル・セクションにわたって低摩擦表面を有するスリーブの使用は、ケーブルが結束解除されるときにループを引張り出すのを助ける。スリーブは、使用される場合、熱収縮手段又は他の適した手段を使用して適用され得る。
【００２８】
図１４に示され、先行する節で述べられたタイプのケーブルにおいて屈曲部及びスパイラル・テールＺに更なる剛性を生成する別の代替法は、任意の適したタイプのポリマー・コーティングで屈曲部及びスパイラル・テールをコーティングすることによって、屈曲部及びスパイラル・テールＺに剛性を付加することである。ポリマー・コーティングは、屈曲部及びスパイラル・テール上にコーティングをはけ塗りする又は噴霧することによって適用され得る、又は、コーティングは、浸漬プロセス又は任意の他の適した方法によって適用され得る。いずれにしても、コーティングは、屈曲部だけ、スパイラル・テールだけ、又は屈曲部とスパイラル・テールの両方に適用され得る。
【００２９】
図１５〜１９は、本発明の別の実施例を示し、ケーブル自体の一部として予備成形されるのではなく、むしろ、ケーブルに取付けられる弾性部材である拘束具の使用を示す。図面は、２セクション・ケーブルに対するこの実施例の原理の適用を示し、一方のセクションは、イヤ・バッド又は他のリスニング・デバイスの対を含む２ワイヤ・セクションに接続可能な単一ワイヤである。しかし、この実施例の原理が、単一の予備成形ワイヤを有する上述した他の実施例と同様に、各端部にコネクタを有し得る単一ワイヤに適用可能であることを理解されたい。
【００３０】
この実施例のケーブル２００は、単一ワイヤ２０４からなる第１のセクション２０２、並びに、コネクタ２１１において接合された２つのワイヤ２０８及び２１０からなる第２のセクション２０６を含む。各ワイヤ２０８及び２１０は、イヤ・バッド２１２又は他の適したリスニング・デバイスで終端する。ワイヤ２０４は、真直ぐなセクションＹを形成するためにその長さに沿って好ましくは均等に離間した予備成形屈曲部Ｘを有する。ワイヤ２０４は、可変剛性ケーブルではないが、そうであることができる。セクション２０２のワイヤ２０４は、例えば電子デバイスに接続するためのコネクタ２１４を一端に、また、イヤ・バッド２１２に通じる第２のセクション２０６のワイヤ２０８及び２１０に接続するためのコネクタ２１６を他端に有する。ケーブル２００についての特定の使用に応じて、セクション２０６は、例えば、オーディオ音量用のコントロール２１８を含む場合がある。しかし、こうしたコントロール２１８は、本発明の一部を全く形成しない。ループ２２０によってワイヤ２０８及び２１０に取付けられるのは、弾性バンド又はゴム・バンド等の伸縮性バンド２２２である。ループ２２０は、好ましくは、バンド２２２がワイヤ２０８及び２１０に沿って摺動することを可能にする。
【００３１】
本発明のこの実施例は、先に示唆した音源にリスニング・デバイスを接続するための軟質ワイヤの使用等、非常に軟質且つ柔軟なワイヤが所望される用途において有用である。これらの軟質ワイヤは予備成形屈曲部Ｘ及び真直ぐなセクションＹを有するが、これらの軟質ワイヤの一部は、所望の結果を達成するのに十分な剛性を持たない。そのような場合、上述したまた図１４に示したスリーブ(sleeves)又はコーティングが使用され得る。
【００３２】
ここで図１６〜１９を参照すると、ケーブル２００を結束し拘束するステップが示される。図１６では、第１のセクションのワイヤ２０４の予備成形済みの真直ぐなセクションＹが、集線され、束の状態で保持され、ワイヤ２０８及び２１０は示すように束ねられないままにされる。結束されたワイヤ２０４が図１７に示すように一方の手で保持された状態で、ループ２２０及びバンド２２２が、イヤ・バッド２１２の近くのワイヤ２０８及び２１０の端部に移動され得る。ワイヤ２０８及び２１０は、次に、図１８に示すように集線されたワイヤ２０４に巻き付けることができ、その後、バンド２２２が、伸ばされ、結束されたワイヤ２０４に巻き付けられて、図１９に示すように、第１及び第２のセクション２０４及び２０６を共に固定する。
【００３３】
ここで図２０を参照すると、ケーブル２００が単一ワイヤ２０４であり、予備成形屈曲部Ｘが真直ぐなセクションＹを形成するために離間する別の実施例が示される。ワイヤ２０４は、例えば、スマート・フォンを充電器に接続するためのコネクタ２１４及び２１６を対向する端部に有し得る。この実施例では、バンド２２２は、コネクタ２１４又は２１６のいずれかの近くのワイヤ２０４に永久的に取付けられ得る。ワイヤ２０４は、次に、図１６に示す方法で集線され、その後、バンド２２２が、伸ばされ、結束したワイヤ２０４に巻き付けられて、それを固定する。
【００３４】
本発明の先の種々の実施例を述べるとき、本発明の異なるケーブルの主要な利点は、ケーブルを容易に結束して、必要とされる空間、乱雑な外観等を減らすことができることである。明らかに、実施例の一部において、２つ以上のスパイラル・テールＺが、単一ケーブル内で予備成形される可能性があり、図１１に示すように、ユーザが複数の結束体を作ることを可能にする。図１１は、ケーブル１０、２０、３０、４０、及び５０のうちの任意のものであり得る単一ケーブル内に２つのスパイラル・テールＺを示す。複数の結束は、ずっと長いケーブルが所望される用途で特に有用である。
【００３５】
本発明の種々の実施例の先の説明から、本発明が、種々の異なるケーブル及び用途について多くの選択肢を提供することがわかるであろう。人間は、多世代にわたって、特に電子デバイスの激増以来、電気ケーブルを使用してきた。一部の個人は、電気ケーブルを管理し編成する自分自身の方法を開発してきた。１つの一般的な方法は、ケーブルを、指、手、及び肘等に巻き付けることによって、故意に共に「ループ状にし（loop）」、次に、ツイスト・タイ、ロープ片によって、又は、ケーブル自体によってケーブルを拘束することである。故意にループ状にし、ケーブルを共に結び付けることは、本発明のケーブルによって行われるように、予備成形屈曲部によってケーブルを結束し、スパイラル・テール又はフックによってケーブルを拘束するのにかかるものよりかなり多くの時間及び労力を必要とする。しかし、一部の人々にとって、古い習慣は打ち破るのが難しい。こうした人々の場合、本発明は、図５及び図７の実施例を提供する。これらの選択肢を使用すると、人々は、依然として自分の指又は肘にケーブルを巻き付け得る。更に、イヤホン・ケーブル及び一部の充電器等の或る用途は、非常に柔軟性のあるケーブルを必要とする。これらの用途の場合、図５の実施例が非常にうまく働くことになる。図５に示すように、また、先に述べたように、この特別な選択肢のケーブルは、２つのセクション、すなわち、スパイラル・テール用のより剛性のあるセクション及びケーブルの残りの部分用の非常に柔軟性のあるセクションで作られる。より剛性のあるスパイラル・テールは、形状を十分に保持し、拘束アクション用の適切な力を提供することになる。非常に柔軟性のあるセクションは、これらの用途によって必要とされる著しい柔軟性を提供する。このケーブルを結束するため、非常に柔軟性のあるケーブルが指に巻き付けられて、結束体が形成され、次に、スパイラル・テールによって結束体が巻き付けられて、結束体が拘束される。
【００３６】
より剛性のあるケーブルを必要とする用途の場合、図７の選択肢が使用され得る。可変剛性ケーブルの特性の欠如が、ほとんどの用途における欠点であるが、このケーブルは、作るのがより簡単且つコストが安い。より剛性のあるこのケーブルを指に巻き付けることはおそらくできないが、それらを手及び肘に巻き付けることは依然としてできる。
【００３７】
本発明の種々の実施例の全ては、容易な折畳み特徴を容易な拘束特徴と組み合わせて、折畳まれ且つ拘束されたケーブル構成をもたらすという一般的な概念を使用する。実施例の全てにおいて、ケーブル・セクション及び拘束セクションが共に、それらの表面上で低摩擦係数を有することが重要である。本発明の種々のバージョンは、基本的な概念が多くの異なる用途に使用されることを可能にし、それら概念の一部はより高いコストの特定の実施例に対処し得る。
【００３８】
本発明のこれらの種々のまた好ましい実施例に関連して本発明をこうした述べたが、本発明の精神及び範囲から逸脱することなく、本明細書で述べる好ましい実施例に対して種々のバージョンが作られ得ることが当業者に明らかになるであろう。しかし、当業者に明らかである全てのこうした改訂及び修正が添付特許請求の範囲内に含まれることになることが本発明者の意図である。
【図１】
2015524147.tif 000003
【図２ａ】
2015524147.tif 000004
【図２ｂ】
2015524147.tif 000005
【図２ｃ】
2015524147.tif 000006
【図２ｄ】
2015524147.tif 000007
【図３】
2015524147.tif 000008
【図４ａ】
2015524147.tif 000009
【図４ｂ】
2015524147.tif 000010
【図４ｃ】
2015524147.tif 000011
【図５】
2015524147.tif 000012
【図６】
2015524147.tif 000013
【図７】
2015524147.tif 000014
【図８ａ】
2015524147.tif 000015
【図８ｂ】
2015524147.tif 000016
【図９ａ】
2015524147.tif 000017
【図９ｂ】
2015524147.tif 000018
【図１０】
2015524147.tif 000019
【図１１】
2015524147.tif 000020
【図１２ａ】
2015524147.tif 000021
【図１２ｂ】
2015524147.tif 000022
【図１３】
2015524147.tif 000023
【図１４】
2015524147.tif 000024
【図１５】
2015524147.tif 000025
【図１６】
2015524147.tif 000026
【図１７】
2015524147.tif 000027
【図１８】
2015524147.tif 000028
【図１９】
2015524147.tif 000029
【図２０】
2015524147.tif 000030
【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
電気及び電子デバイスと共に使用するための連続且つ折畳み可能なケーブルであって、
導体及び前記導体を覆う外側ジャケットを有するケーブルを備え、
前記ケーブルは第１の端部及び第２の端部を有し、
折畳まれるときにケーブルを結束（bundle）して保つための、予備成形拘束具を備え、
前記予備成形拘束具は、
前記第１の端部及び前記第２の端部の間のケーブルのセクションと、
前記外側ジャケットが前記ケーブルののこりの部分の外側ジャケットより硬いセクションの熱成形可能な部分からのみ成り立ち、
前記より硬いセクションは前記予備成形拘束具を作成するために、望みの形に熱的に永久的に予備成形され、
前記予備成形拘束具は、折畳んだケーブルのまわりに巻きつけたりほどいたりされることができ、折り畳み可能なケーブルをこぎれいに結束または結束解除でき、折り畳み可能ケーブルの絡まりを防止する、ケーブル。
【請求項２】
前記第１の端部又は第２の端部と組み合わされたコネクタがあり、
前記予備成形拘束具が、ケーブルが折畳まれるときケーブルを結束するために、前記コネクタを含む端部に組み合わされる、請求項１に記載のケーブル。
【請求項３】
コネクタが、前記第１の端部及び前記第２の端部の両方に組み合わされる、請求項１に記載のケーブル。
【請求項４】
前記コネクタを含まない端部が、電気又は電子デバイスに接続されるように適合される、請求項２に記載のケーブル。
【請求項５】
前記予備成形拘束具が予備成形スパイラルである、請求項１に記載のケーブル。
【請求項６】
前記第１の端部と及び前記第２の端部の間に２つ以上の真直ぐなセクションと屈曲部を交互に有し、前記屈曲部が、前記真直ぐなセクションより柔軟性がある、請求項１に記載のケーブル。
【請求項７】
ケーブルの柔軟性が、前記屈曲部と前記真直ぐなセクションとの間で徐々に変化する、請求項６に記載のケーブル。
【請求項８】
前記予備成形拘束具がその形状を永久的に保持するスパイラルである、請求項７に記載のケーブル。
【請求項９】
前記予備成形拘束具がその形状を永久的に保持するスパイラルである、請求項６に記載のケーブル。
【請求項１０】
スリーブが、前記屈曲部及び前記予備成形スパイラルに組み合わされてそれらを覆う、請求項９に記載のケーブル。
【請求項１１】
スリーブが、前記予備成形スパイラルだけに組み合わされそれを覆う、請求項９に記載のケーブル。
【請求項１２】
前記第１の端部及び前記第２の端部の間に２つ以上の真直ぐなセクションと予備成形屈曲部を交互に有し、前記屈曲部を覆う外側ジャケットは前記屈曲部が永久的にその形状を保持するように熱により予備成形される、請求項５に記載のケーブル。
【請求項１３】
前記ケーブルが可変剛性ケーブルである、請求項５に記載のケーブル。
【請求項１４】
スリーブが、前記予備成形スパイラルに組み合わされ、ケーブルに追加的な硬さを与えるために前記スパイラルを覆う、請求項５に記載のケーブル。
【請求項１５】
ケーブルの長さに沿って１つ又は複数の更なる予備成形スパイラルがあり、前記スパイラルを覆う前記外側ジャケットはより硬く、ケーブルを２つ以上の結束体に結束することができるように、熱により予備成形されている、請求項１２に記載のケーブル。
【請求項１６】
ポリマー・コーティングが、前記屈曲部及び前記予備成形スパイラルに組み合わされる、請求項９に記載のケーブル。
【請求項１７】
ポリマー・コーティングが、前記予備成形スパイラルだけに組み合わされる、請求項９に記載のケーブル。
【請求項１８】
ポリマー・コーティングが、前記予備成形スパイラルに組み合わされる、請求項５に記載のケーブル。
【請求項１９】
電気及び電子デバイスと共に使用するための連続且つ折畳み可能なケーブルであって、
導体及び前記導体を覆う外側ジャケットを有するケーブルを備え、
前記ケーブルは第１の端部及び第２の端部を有し、
前記第１の端部と前記第２の端部のあいだの前記外側ジャケットの部分は、ケーブルが折り畳まれた時にケーブルを束ねて保持することが可能なＷ型フックを持つ予備成形拘束具を作成するために、望みの形に熱的に永久的に予備成形され、
前記Ｗ型フックは、ほぼ平行な面内の２つの予備成形されたループと前記２つのループの属する２つの面にほぼ垂直な面内にある第３の予備成形されたループから形付けられる、ケーブル。
【請求項２０】
電気及び電子デバイスと共に使用するための連続且つ折畳み可能なケーブルであって、
導体及び前記導体を覆う外側ジャケットを有するケーブルを備え、
前記ケーブルは第１の端部及び第２の端部を有し、
前記第１の端部と前記第２の端部のあいだの前記外側ジャケットの部分は、ケーブルが折り畳まれた時にケーブルを束ねて保持することが可能な予備成形拘束具を作成するために、望みの形に熱的に永久的に予備成形され、
ケーブルの前記外側ジャケットが、ケーブルの真直ぐなセクションとケーブルに沿って離間し熱により予備成形された２つ以上の屈曲部を有し、前記予備成形屈曲部が、前記真直ぐなセクションより柔軟性が小さく、それらの形状を保持する、ケーブル。
【請求項２１】
ケーブルの柔軟性が、前記屈曲部と前記真直ぐなセクションとの間で徐々に変化する、請求項２０に記載のケーブル。
【請求項２２】
前記ケーブルが可変剛性ケーブルである、請求項２０に記載のケーブル。
【請求項２３】
前記予備成形拘束具がスパイラルである、請求項２２に記載のケーブル。
【請求項２４】
電気及び電子デバイスと共に使用するための連続且つ折畳み可能なケーブルであって、
導体及び前記導体を覆う外側ジャケットを有するケーブルを備え、
前記ケーブルは第１の端部及び第２の端部を有し、
前記第１の端部と前記第２の端部のあいだの前記外側ジャケットの部分は、ケーブルが折り畳まれた時にケーブルを束ねて保持することが可能な予備成形拘束具を作成するために、望みの形に熱的に永久的に予備成形され、前記予備成形拘束具は予備成形されたスパイラルであり、
前記ケーブルは２つ以上の真直ぐなセクションと屈曲部を交互に有し、前記屈曲部はその形状を保つように直線セクションより柔軟ではなく、前記屈曲部を覆う前記外側ジャケットは熱により予備成形され前記スパイラルと同じ材料であり、前記屈曲部はその形状を永久的に保持する、ケーブル。
【請求項２５】
前記外側ジャケットは、実質的に前記ケーブルの全体の長さにわたって外側の表面をカバーする低摩擦表面をもつ、請求項２０に記載のケーブル。
【請求項２６】
前記低摩擦表面の摩擦係数が０．３より低い、請求項２５に記載のケーブル。
【請求項２７】
電気及び電子デバイスと共に使用するための連続且つ折畳み可能なケーブルであって、
導体及び前記導体を覆う外側ジャケットを有するケーブルを備え、
前記ケーブルは第１の端部及び第２の端部を有し、
前記ケーブルは前記第１の端部と前記第２の端部のあいだに２つ以上の交互する真直ぐなセクションと予備成形された屈曲部を有し、前記屈曲部がその形状を永久的に保持するように、前記屈曲部を覆う前記外側ジャケットは熱により予備成形され、
前記第１の端部と前記第２の端部のあいだの前記外側ジャケットの部分は、ケーブルが折り畳まれた時に、ケーブルを束ねて保持することが可能な予備成形拘束具を作成するために、望みの形に熱的に永久的に予備成形され、
前記ケーブルは、可変剛性ケーブルであり、前記予備成形されたスパイラルと前記予備形成された屈曲部は、前記まっすぐなセクションより剛性のある材料によりなる、ケーブル。
【請求項２８】
電気及び電子デバイスと共に使用するための連続且つ折畳み可能なケーブルであって、
導体及び前記導体を覆う外側ジャケットを有するケーブルを備え、
前記ケーブルの前記外側ジャケットの材料は均一は剛性をもち、
前記ケーブルは第１の端部及び第２の端部を有し、
折畳まれるときにケーブルを結束（bundle）して保つための、予備成形拘束具を備え、
前記予備成形拘束具は、
前記第１の端部及び前記第２の端部の間のケーブルセクションと、
前記ケーブルセクションに硬さを加えるための前記ケーブルセクションを覆う熱成形可能なスリーブと、からのみ成り立ち、
前記スリーブと前記スリーブにより覆われる前記ケーブルセクションは、前記ケーブルののこりより硬く、前記予備成形拘束具を作成するために望みの形に熱的に永久的に予備成形され、
前記予備成形拘束具は、折畳んだケーブルのまわりに巻きつけたりほどいたりされることができ、折り畳み可能なケーブルをこぎれいに結束または結束解除でき、折り畳み可能ケーブルの絡まりを防止する、ケーブル。
【請求項２９】
前記拘束具が、予備成形されたスパイラルである、請求項２８に記載のケーブル。
【請求項３０】
前記予備成形されたスパイラルとその反対側の端部のあいだに、２つ以上の交互する屈曲部とまっすぐなセクションをもつ、請求項２９に記載のケーブル。
【請求項３１】
前記スリーブにより覆われていないケーブルセクションは、実質的に同じ大きさの複数の大きなループに熱的および永久的に予備成形され、前記予備成形されたループは前記予備成形拘束具より大きい、請求項２８に記載のケーブル。
【請求項３２】
前記予備拘束具に成形されていないケーブルセクションは、実質的に同じ大きさの複数の大きなループに熱的および永久的に予備成形され、前記予備成形されたループは前記予備成形拘束具より大きい、請求項１に記載のケーブル。
【請求項３３】
電気及び電子デバイスと共に使用するための連続且つ折畳み可能なケーブルであって、
導体及び前記導体を覆う外側ジャケットを有するケーブルを備え、
前記ケーブルは第１の端部及び第２の端部を有し、
ケーブルが折り畳まれた時に、ケーブルを束ねて保持することが可能な１つ以上の予備成形拘束具を有し、
前記予備成形拘束具は、
前記第１の端部と前記第２の端部の間の前記ケーブルの第１セクションと、
前記外側ジャケットが前記ケーブルの残りの部分の外側ジャケットよりかたい、前記第１セクションの熱成形可能部分と、
第１予備成形拘束具を作成するために、第１予備形成スパイラルに熱的および永久的に予備成形された前記第１セクションのより硬い部分と、
前記第１の端部と前記第２の端部の間の少なくとも１つの追加的セクションと、
前記外側ジャケットが前記第１セクションを除いた残りのケーブルより硬い、熱成形可能な各追加的セクションと、
追加的な予備成形拘束具を作成するために、追加的予備形成スパイラルに熱的および永久的に予備成形された各前記追加的セクションのより硬い部分と、
からのみ成り、
各予備成形拘束具は、折畳んだケーブルのまわりに巻きつけたりほどいたりされることができ、折り畳み可能なケーブルをこぎれいに１つ以上の束に結束または結束解除でき、折り畳み可能ケーブルの絡まりを防止する、ケーブル。
【手続補正２】
【補正対象書類名】図面
【補正対象項目名】図６Ａ
【補正方法】追加
【補正の内容】
【図６Ａ】
2015524147.tif 000031
【国際調査報告】
2015524147.tif 000032